(57)【要約】【課題】２００Ｖの専用回路配線工事が不要で、かつ特殊の複雑な制御回路を用いることなく、同時に数複の洗浄ユニットを運転できる食器洗い機を提供すること。【解決手段】洗浄槽と、この洗浄槽内に洗浄水を噴射するノズルアームと、加熱用のヒータを有する洗浄ユニットが複数備わる食器洗い機において、複数の洗浄ユニットを同時に運転する際には、ヒータの通電率を低減することを特徴とする。【選択図】図５
2004350978.tif 000002
【特許請求の範囲】
【請求項１】
洗浄槽と、この洗浄槽内に洗浄水を噴射するノズルアームと、加熱用のヒータを有する洗浄ユニットが複数備わる食器洗い機において、
複数の洗浄ユニットを同時に運転する際には、前記ヒータの通電率を低減することを特徴とする食器洗い機。
【請求項２】
請求項１に記載されている食器洗い機において、
前記通電率の低減は、位相制御ですることを特徴とする食器洗い機
【請求項３】
請求項１または２に記載されている食器洗い機において、
前記通電率を制御する制御手段を有することを特徴とする食器洗い機。
【請求項４】
請求項１から３の何れか一つに記載されている食器洗い機において、
前記ヒータの通電を入り切りするリレースイッチの接点と半導体スイッチング素子とが並列接続されていることを特徴とする食器洗い機。
【請求項５】
請求項４に記載されている食器洗い機において、
前記ヒータに通電する際には、先に前記半導体スイッチング素子をＯＮさせ、その後に前記リレースイッチの接点をＯＮさせ、ヒータの通電を遮断する際には、前記リレースイッチの接点をＯＦＦさせる前に半導体スイッチング素子を一先ずＯＮさせ、その後にリレースイッチの接点をＯＦＦさせてから半導体スイッチング素子をＯＦＦさせることを特徴とする食器洗い機。
【請求項６】
請求項４に記載されている食器洗い機において、
前記ヒータに通電する際には、最初に前記半導体スイッチング素子をＯＮさせ、その後に前記リレースイッチの接点をＯＮさせたから半導体スイッチング素子をＯＦＦさせることを特徴とする食器洗い機。
【請求項７】
請求項２または３に記載されている食器洗い機において、
前記位相制御をするところの半導体スイッチング素子を設けたことを特徴とする食器洗い機。
【請求項８】
請求項２または３に記載されている食器洗い機において、
電源電圧の変動に応じて前記位相制御のＯＮ−ＯＦＦ比（デューティー）を変えることを特徴とする食器洗い機。
【請求項９】
請求項４から７の何れか一つに記載されている食器洗い機において、
前記半導体スイッチング素子に放熱用のフィンを設け、かつ該半導体スイッチング素子を食器洗い機の本体前面側に備わるドアの内部に設置したことを特徴とする食器洗い機。
【請求項１０】
洗浄槽と、この洗浄槽内に洗浄水を噴射するノズルアームと、加熱用のヒータを有する洗浄ユニットが複数備わる食器洗い機において、
複数の洗浄ユニットを同時に運転する際には、前記ヒータの通電率を低減させ、かつ単独の運転をする際には、ヒータの通電率を低減しないことを特徴とする食器洗い機の運転。
【発明の詳細な説明】
【０００１】
【発明の属する技術分野】
本発明は、複数の洗浄ユニットが上下２段式に備わる食器洗い機の同時運転制御に関するものである。特に、本発明は一般家庭において使用する食器洗い機に係わるものである。
【０００２】
【従来の技術】
従来の食器洗い機においては、２個の洗浄ユニットを上下に積み重ねた２段式の構成で、電源電圧は１００Ｖ仕様である。
【０００３】
一般家庭にて普及している１００Ｖ，１５Ａの電源給電設備（家庭用配電盤）においては、上下洗浄ユニットの洗浄水の温度を上昇させるヒータを、現在使用されている出力８００Ｗ程度のものをそのまま使用した場合、１５Ａ電源の規定以上の電流が流れる。過電流遮断器（ブレーカ）が動作するため、上下洗浄ユニットのヒータを同時にＯＮすることが出来ない。上下洗浄ユニットのどちらか一方の運転中は、もう一方はヒータをＯＮせずに、水洗い行程、水すすぎ行程を行なう、または、運転せず待機するというような構成であった。
【０００４】
また、電源電圧が２００Ｖの特別仕様の給電設備が備わる場合には、上下洗浄ユニットともヒータ出力を８００Ｗ程度にて同時に、並行して運転する構成であった。
【０００５】
また特開２００２−８５３１６号公報（特許文献１）に示す食器洗い機は、複数台の食器洗い機を時分割しながら運転する調停回路を備えている。
【０００６】
【特許文献１】
特開２００２−８５３１６号公報
【０００７】
【発明が解決しようとする課題】
しかしながら、従来（１００Ｖ給電設備）の構成では、上下洗浄ユニットのヒータを同時にＯＮすることが出来ない。上下洗浄ユニットのどちらか一方の運転中は、もう片側はヒータをＯＮせずに、水洗い行程、水すすぎ行程を行なうという構成である。
【０００８】
このため、上下ユニットを同時に運転しても、片側の洗浄ユニットを洗浄水の温度を上げて運転することが出来ず、また、乾燥運転を同一のヒータで運転する場合は、乾燥運転も上下同時に運転することが出来ない。結局、食器洗い乾燥機の１サイクルの運転時間において、そのほとんどを占める温水洗い行程、温水すすぎ行程、乾燥行程は、上下洗浄ユニット各々別に運転する必要があり、実際の運転時間は、上下洗浄ユニットの１サイクルの運転時間を足し合わせた運転時間となる。すなわち、上下洗浄ユニットに同時に、食器、または、調理器具をセットし運転をスタート出来るが、運転終了時間は、上下別々に分けて運転した時間とほとんど変わらない時間となる。
【０００９】
また、上下洗浄ユニットのヒータの出力を各々半分（例えば４００Ｗ）のものを使用して同時に運転しても、温水洗い行程、温水すすぎ行程、乾燥行程は、洗浄水の温度上昇率が低くなり、その分、運転時間は長くなる。
【００１０】
さらに、この場合は、どちらか片方の洗浄ユニットのみを使用して運転する場合も、ヒータの出力を半分としているため運転時間が長くなる。上下二段式の食器洗い機において、食器と調理器具を上下洗浄ユニットに分けて洗う場合、食器と調理器具の運転を同時に終了することが出来ず、運転終了後に同時に使用する場合などは、お客様の使い勝手が悪い。
【００１１】
２００Ｖ仕様の機種では、上下洗浄ユニットの同時運転が可能だが、２００Ｖ電源の普及率は低く、多くの場合、２００Ｖの専用回路を引く必要があり、配線工事等の手間と費用がかかる。
【００１２】
また上記特許文献１に示す食器洗い機は、複数台の食器洗い機を時分割しながら運転する特殊な調停回路を必要とするので複雑な制御回路になる欠点があった。
【００１３】
本発明は、上記の問題に対処し、２００Ｖの専用回路配線工事が不要で、かつ特殊の複雑な制御回路を用いることなく、同時に数複の洗浄ユニットを運転できる食器洗い機を提供することを目的とする。
【００１４】
【課題を解決するための手段】
本発明は、洗浄槽と、この洗浄槽内に洗浄水を噴射するノズルアームと、加熱用のヒータを有する洗浄ユニットが複数備わる食器洗い機において、複数の洗浄ユニットを同時に運転する際には、ヒータの通電率を低減することを特徴とするものである。
【００１５】
更に具体的には、２個の洗浄ユニットを上下に積み重ねた食器洗い機において、ヒータの通電を入り切りするリレースイッチの接点と半導体スイッチング素子（トライアック）とを並列に接続し、半導体スイッチング素子で通電率の制御をし、上下洗浄ユニットを同時に運転する場合は、半導体スイッチング素子のＯＮ−ＯＦＦ制御（位相制御）により、上下洗浄ユニットのヒータへの通電率を可変し、上下洗浄ユニットの合わせたヒータ出力が、その他の洗浄・排水モータ等の電気部品の出力と合わせて、１５Ａ電源の規定以上の電流が流れて過電流遮断器（ブレーカ）が動作しないような出力となるように制御する構成とする。このように運転状況に応じてヒータへの通電率を可変させることにより、片方の洗浄ユニットを単独で運転した場合、また、上下洗浄ユニットを同時に運転した場合も同様に、１５Ａ電源の規定内となる最大の通電率に制御することができ、効率よく運転することが可能となる。
【００１６】
【発明の実施の形態】
以下、本発明の実施形態を示す図に沿って説明する。
【００１７】
本食器洗い機は、食器洗い機を構成する食器を収納する洗浄槽１、食器かご２、水溜部３、ノズルアーム４、電動機５、洗浄ポンプ羽根６、排水ポンプ羽根７、シール板８等有する洗浄ユニット４０、４１がそれぞれ独立して２個設けられている。
【００１８】
食器洗い機の本体は、上側の洗浄ユニット４０と下側の洗浄ユニット４１の上下２段にて置かれるように構成されている。上側の洗浄ユニット４０と下側の洗浄ユニット４１のほとんどは、同一構成となっているので、共通する構成については上洗浄ユニット４０にて説明する。
【００１９】
図１に示すように洗浄槽１は、食器洗い機の本体ケース９に上下２段に各々独立して備わる。洗浄槽１はスライドレール２４とローラー２５により引出し可能に備えられている。
【００２０】
食器１０は洗浄槽１に備わる食器かご２の上に並べられる。食器１０を洗浄する洗浄用の洗浄液は給水バルブ１２から給水ホース１３を通じて洗浄槽１に供給される。洗浄槽１の底部の直下には回転子１４を磁石（永久磁石）で形成するブラシレスモータ５（電動機）が設けられている。ブラシレスモータ５の回転軸には洗浄槽１側に洗浄ポンプのポンプ羽根６が取付けられる。
【００２１】
ノズルアーム４は上側に洗浄液を噴射する複数の噴射孔１５を有し、中央部には洗浄液吸込用の開口部１６が設けられている。このノズルアーム４は開口部１６内でポンプ羽根６に対し適当な間隔を保って洗浄液吸込ガイド１７の上に回転可能に取付け支持されている。洗浄液吸込ガイド１７は洗浄槽１の底部に対し一定の間隔を保って伸長し、洗浄槽１の最深部近傍で外周にリング状の洗浄液吸込み用開口部１８を有し、中央部はノズルアーム４の開口部１６に対応した洗浄液吐出用の開口部１８を有する。
【００２２】
すなわち、洗浄槽１の底部側に回転自在に設けられるノズルアーム４と、ノズルアーム４の中央部に設けられる洗浄液吸込用の開口部１６に回転自在に内置されている洗浄ポンプのポンプ羽根６と、洗浄ポンプのポンプ羽根を駆動する電動機とを有し、ノズルアーム４、洗浄ポンプおよび電動機の回転軸心が縦に同心的に、かつ電動機の上側にノズルアーム４および洗浄ポンプが位置するように配置している。そして、洗浄槽１の底部には洗浄液（洗浄水）が集まる最深部（集水部）を電動機の外側周囲に設け、かつ洗浄槽１の底部は集水部から離れるところを高くなるように傾斜させて形成し、ノズルアーム４と洗浄槽１の底部との間には、洗浄ポンプの吸込口側に洗浄水を導く洗浄液吸込ガイド１７（洗浄水吸込ガイド）を設け、かつ洗浄水吸込ガイドの外周側を下向きに延在して洗浄液吸込み用開口部１８（洗浄液吸込用開口部）を設け、該洗浄液吸込用開口部を集水部に対向するように配置した構成になっている。
【００２３】
洗浄ポンプの運転で洗浄液吸込用開口部より吸い込まれた洗浄水は、洗浄水吸込ガイドと洗浄槽１の底部との間に形成される流通路を流れて洗浄ポンプに吸い込まれ、ポンプ羽根６でノズルアーム４に送られた洗浄水は噴射孔１５から洗浄槽１内に噴射される。この噴射する洗浄水で食器１０は洗浄される。
【００２４】
また、洗浄液吸込ガイド１７はねじ１９により洗浄槽１に固定されている。ブラシレスモータ５の回転軸には、ポンプ羽根６の反対側（下端側）に排水ポンプのポンプ羽根７を取付けると共に、ポンプ羽根７の周囲にポンプ室２１を構成する。ポンプ室２１は洗浄槽１の水溜部３に短い導水部２２で連通されている。ポンプ羽根７は、ポンプ羽根６がポンプ作用を実現する回転方向と反対に回転したときに、排水ポンプとしての機能を生じるような羽根に構成されている。
【００２５】
排水ポンプのポンプ羽根７が排水ポンプとしての機能を果したときは、洗浄槽１内の洗浄後の洗浄液を排水ホース２３を通じて、食器洗い機の外部に排水する。洗浄時は、ブラシレスモータ２１と洗浄ポンプのポンプ羽根６の回転により、洗浄槽１の最深部近傍から洗浄液を吸上げ、洗浄液吸込ガイド１７を通じて、洗浄液吸込ガイド１７の開口部に導く。更に吸上げられた洗浄液はポンプ羽根６で加速され、ノズル４の開口部１６から、ノズル４に設けたケーシング２６に沿って更に加速された状態で、噴射孔１５に導かれる。
【００２６】
洗浄液はノズル４の中で加圧されるため、複数の噴射孔１５から高速で噴射される。尚、ノズル４は洗浄液が狭いケーシング２６を通過するときの反作用および複数の小さな噴射孔１５から高速で噴射される時の反作用により、一定の方向に回転する。洗浄液吸込ガイド１７の近傍に、洗浄液の加温と、食器乾燥時のファン２７により送風される空気の加温を兼ねるヒータ２８を設置する。洗浄行程時、すすぎ行程時は、ヒータ２８に通電し洗浄水を温水にする。残菜捕集用のフィルター２９は洗浄槽１の底部に設けられ、洗浄後の洗浄水を排水するときに、残菜を捕集する。洗浄水のシール構成は、洗浄槽１の上端全周に中空のパッキン３１を設け、更に、洗浄槽１上部にシール板８を設ける。エアーポンプ３０は中空のパッキン３１に加圧空気を送り、膨らんだパッキン３１の弾性により洗浄槽１とシール板８を常に当接させ、安定したシールを実現する。
【００２７】
ノズルアーム４と洗浄液吸込ガイド１７の間に仕切り板３２を設ける。仕切り板３２は残菜捕集用のフィルター２９を１個あるいは複数個備える。
【００２８】
また、食器１０の乾燥行程では、ファンモータ２７に通電し、ファンを回転させ、送風径路３４を介して、洗浄槽１内へ送風される。なお、このとき、ヒータ２８は通電をＯＮ−ＯＦＦして冷風を温風に変えており、この温風により、洗浄槽１内に付着している、水滴、および、残水、さらには、食器かご２や食器３に付着している水滴を蒸気に変え、排気ダクト、排気口３５を介して、機外に排出される。そして、一定時間乾燥動作が行われたならば、食器洗い機の運転が終了する。
【００２９】
次に、本発明の主要部について説明する。図４の（ａ）に示すように、従来の構成では、一般家庭にて普及している１５Ａの電源４９においては、上下の洗浄ユニット４０，４１の洗浄水の温度を上昇させるヒータ２８を、現在使用されている出力８００Ｗ程度のものをそのまま使用した場合、１５Ａの電源４９の規定以上の電流が流れ、過電流遮断器が動作する。
【００３０】
このため、上下の洗浄ユニット４０，４１のヒータ２８を同時にＯＮすることが出来ず、上下洗浄ユニット４０、４１のどちらか一方の運転中は、もう片側はヒータ２８をＯＮせずに、水洗いのみの間欠運転を行う待機洗い４２を行っている。このため、上下洗浄ユニット４０，４１を同時に運転した場合、上洗浄ユニット４０の運転終了４３の後に下洗浄ユニット４１のヒータ２８をＯＮして運転が開始される。
【００３１】
すなわち、下洗浄ユニット４１の運転終了時間としては、上洗浄ユニット４０の運転時間と下洗浄ユニット４１の運転時間を足し合わせた時間４４となる。また、図４の（ｂ）に示すように、ヒータ２８の出力を半分（４００Ｗ程度）として、上下同時運転した場合は、上下洗浄ユニット４０，４１とも同時にヒータ２８へ通電されているが、出力が半分（８００Ｗの半分）となっている。このため、洗い行程４５、加熱すすぎ行程４６、乾燥行程４７にて、ほぼ倍の運転時間がかかり、上下洗浄ユニット４０，４１と運転終了時間４８は、図４の（ａ）の場合とほぼ同じくなる。
【００３２】
そこで、本発明では、上下洗浄ユニット４０，４１を同時に運転する場合は、上下洗浄ユニット４０，４１のヒータ２８への通電率を可変し、上下洗浄ユニット４０，４１の合わせたヒータ出力が、その他の洗浄・排水モータ２１等の電気部品の出力と合わせて、１５Ａの電源４９の規定以上の電流が流れて過電流遮断器が動作しないような出力となるように制御する。こうすることにより、図４（ｃ）のように、上下の洗浄ユニット４０，４１を同時運転した場合の運転時間５０を大幅に短縮できる。具体的には、通電率は各サイクルの通電開始の位相を遅らせて６０％〜７０％程度（８００Ｗを５５０Ｗ程度に低減）に低減した。
【００３３】
通電率の制御について図５に沿って説明する。
【００３４】
通電率制御の回路構成としては、従来の構成が図５の（ａ）のようにヒータ回路５１への通電のＯＮ−ＯＦＦをリレースイッチの接点５２により行っていた。接点５２のＯＮ−ＯＦＦは、マイコンでリレー駆動回路を制御することにより行われる。
【００３５】
これに対し、本発明では、図５の（ｂ）のように、ヒータ回路５３のスイッチとしてリレースイッチの接点５２と通電率制御用のトライアック５４（半導体スイッチング素子）を設け、前記トライアック５４をリレースイッチの接点５２と並列に接続する構成にした。トライアック５４、リレースイッチの接点５２、マイコン、リレー駆動回路等を含めて制御回路ないし制御手段と言う。
【００３６】
上下の何れか片方の洗浄ユニットの単独運転時は、図６の（ａ）、図７の（ａ）のように、リレースイッチの接点５２によりヒータ回路５１をＯＮ−ＯＦＦする。
【００３７】
しかし、上下洗浄ユニット４０，４１を同時運転するときのヒータ２８への通電率を制御する場合には、図６の（ｂ）、図７の（ｂ）のように、トライアック５４をＯＮ―ＯＦＦすることにより通電率制御を行うようにした。
【００３８】
このヒータ２８の通電率の制御は、図８に示すように、電源の正弦波５５に対して、トライアック５４がＯＮするトリガ信号５６のタイミングを変えることにより、トライアック５４の位相制御を行い、ヒータ２８にかかる電圧が変化し、電流も変化することによりヒータ２８の出力を変えることができる。
【００３９】
トリガ信号５６が印加される位相時間ｔｄをゼロクロス点に近づけることにより、通電率が高められ、逆にゼロクロス点から離すことにより通電率が低下する。この通電率は、電源の給電設備が１５Ａ仕様で、ヒータ容量が８００Ｗの洗浄ユニットを２台同時運転するときには、前述したように１台あたりのヒータ通電が５５０Ｗ（６０％〜７０％）にするのが妥当である。このような運転をすることで、ブレーカの作動を抑えことができる。
【００４０】
また、ヒータ回路５３にトライアック５４をリレースイッチの接点５２と並列に接続することにより、リレースイッチの接点５２のデメリットである溶着を防止できる。
【００４１】
すなわち、片方の洗浄ユニットの単独運転時、リレースイッチの接点５２によりヒータ回路５３をＯＮする際に、最初にトライアック５４をＯＮ５７した後、リレースイッチの接点５２をＯＮする制御の手順を踏む。直接リレースイッチの接点５２をＯＮした場合に、ヒータ回路５３に流れる電流値１０Ａ程度に対し、トライアック５４をＯＮすることにより、リレースイッチの接点５２の接点に流れる電流値を大幅に低減出来、リレースイッチの接点５２の接点溶着防止、リレースイッチの接点５２の寿命を延ばすことが出来る。
【００４２】
なお、洗浄ユニットを２台同時運転するときは、ヒータ回路５３の通電の入り切りは、もっぱらトライアック５４で行い、リレースイッチの接点５２をＯＮ―ＯＦＦさせることはないので、上記のような手順は不要である。
【００４３】
また、逆にヒータ回路５３を遮断する際に、最初にトライアック５４をＯＮ５９した後、接点をＯＦＦ６０することにより、同様の効果（接点溶着防止、接点寿命を延ばす）が得られる。
【００４４】
さらに、この際（２台同時運転）に、トライアック５４をＯＮ５７した後、リレー５２をＯＮ５８し、再度、トライアック５４をＯＦＦ６１することにより、トライアック５４の発熱等による無駄な電力をおさえることが出来る。
【００４５】
また、ヒータ２８への通電率制御をする際に、上下洗浄ユニット４０，４１の合わせたヒータ２８出力が、その他の洗浄・排水モータ２１等の電気部品の出力と合わせて、１５Ａ仕様の電源４９の規定以上の電流が流れて過電流遮断器が動作してしまうことが生じないような出力となるようにするには、電源電圧のバラツキによる余裕度を見る必要がある。実際、１００Ｗ程度の余裕を確保できるように、通電率制御による出力を低くしなければらない。
【００４６】
そこで、それを実現すべく、図９に示すように、電源電圧が１００Ｖよりも上に変動した場合６２は、トライアック５４のＯＮのタイミング６３を変えて電流カットを大きくする。また、電源電圧が１００Ｖよりも下に変動した場合６４は、トライアック５４のＯＮのタイミング６５を変えて電流カットを小さくすることにより、電源電圧の変動に対応して、位相制御のＯＮ−ＯＦＦ比（デューティー）を制御することにより、通常の通電率制御によるヒータ２８の出力を最大限にすることが出来る。
【００４７】
上述した同時運転について、図１０を引用して本発明と従来とを比べる。
【００４８】
図１０の（ロ）は、従来のものを示している。上下洗浄ユニットのヒータに流れる電流波形は、同相で、かつ全電流が流れる。このため、ヒータ容量を半分程度（４００Ｗ）にしなければ、２台同時に運転できなく、前述したようにヒータの発熱量が少なく、結果的に洗浄運転に費やす時間が長くなる。
【００４９】
それに対し、図１０の（イ）に示す本発明にあっては、上下洗浄ユニットのヒータに流れる電流は位相制御により通電率が下げられる。このため、両ヒータに流れる電流量の合計が給電設備（１５Ａ仕様）の給電容量内に抑えられ、ブレーカの作動は生じないのである。
【００５０】
この位相制御による通電率の可変はヒータの構成を変える必要ないので、安価に容易に実現できる。
【００５１】
すなわち、８００Ｗと５５０Ｗのヒータを二つ用意し、一方の洗浄ユニットを単独で運転するときには８００Ｗのヒータを使用する。二台の洗浄ユニットを同時に運転するときには５５０Ｗのヒータを使用するようにして、両ヒータに流れる電流量の合計が給電設備（１５Ａ仕様）の給電容量内に抑えるようにすることも可能である。しかし、食器洗い機に用いるヒータは大きい。大きい８００Ｗと５５０Ｗのヒータを二つ備えると、大きな部品が増えることに加え、ヒータを置くスペースを確保するために食器洗い機の本体を変更（設計変更）しなけらばならない。
【００５２】
本発明は位相制御による通電率の可変で対応できるので、ヒータ部品が増えず、かつ食器洗い機の本体の変更が不要であるので、安価に容易に実現できるのである。
【００５３】
ヒータ回路５３の通電率可変用のトライアック５４は、上下洗浄ユニット４０，４１の同時運転時は、ＯＮ−ＯＦＦのスイッチングを繰返すことにより、かなりの温度上昇があるため、放熱フィン付き６６とする。また、本食器洗い機は、図３、図１１に示すようにシステムキッチンにビルトインされるため本体内部の温度上昇の条件が厳しいため、放熱フィン付きトライアック６６を比較的温度の低い本体前面ドア内部に設置する構成にする。これにより、トライアック６６の温度上昇を低減させることができる。また、万一、トライアックが故障した場合のサービス対応時は、キッチンにビルトインされた本体を引き出すことなく、前面ドアを外すことにより修理が可能となり、サービス性も向上する。
【００５４】
【発明の効果】
以上に述べたように本発明によれば、２００Ｖの専用回路配線工事が不要で、かつ特殊の複雑な制御回路を用いることなく、同時に数複の洗浄ユニットを運転できる食器洗い機を提供できる。
【図面の簡単な説明】
【図１】本発明の実施形態にかかるもので、食器類を洗浄する本体の縦断面図である。
【図２】本発明の実施形態にかかるもので、食器洗い機の平面図である。
【図３】本発明の実施形態にかかるもので、食器洗い機を引出した状態を示す斜視図である。
【図４】本発明の実施形態にかかるもので、従来例と比較した動作サイクルのチャート。
【図５】本発明の実施形態にかかるもので、従来例と比較して示した回路図。
【図６】本発明の実施形態にかかるもので、リレーとトライアックのＯＮ−ＯＦＦのタイミングを示す図。
【図７】本発明の実施形態にかかるもので、ヒータの通電を従来例と比較して示した図。
【図８】本発明の実施形態にかかるもので、通電率制御（位相制御）の電圧波形とトライアック動作のタイミング示す図。
【図９】本発明の実施形態にかかるもので、電源電圧の変動に対する通電率制御（位相制御）を示す図。
【図１０】本発明の実施形態と従来との通電率を比較して示した通電率の対比図。
【図１１】本発明の実施形態にかかるもので、食器洗い機の斜視図である。
【符号の説明】
１…洗浄槽、２…食器かご、４…ノズルアーム、５…ブラシレスモータ、６…洗浄ポンプ羽根、７…排水ポンプ羽根、３４…送風径路、３５…排気口、４０，４１…上／下の洗浄ユニット、４５…洗い行程、４６…加熱すすぎ行程、４７…乾燥行程、４９…電源、５２…リレー、５４…トライアック。
【図１】
2004350978.tif 000003
【図２】
2004350978.tif 000004
【図３】
2004350978.tif 000005
【図４】
2004350978.tif 000006
【図５】
2004350978.tif 000007
【図６】
2004350978.tif 000008
【図７】
2004350978.tif 000009
【図８】
2004350978.tif 000010
【図９】
2004350978.tif 000011
【図１０】
2004350978.tif 000012
【図１１】
2004350978.tif 000013